(57)【特許請求の範囲】
【請求項１】
エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において，上記吸着部と上記触媒部との間に周状に配置すると共に，上記吸着部を２つに分割するよう配置した前端隔壁と，
上記ハニカム構造体の後端面側において，上記前端隔壁により分割された吸着部の一方の第１吸着部に流入した排ガスを，他方の第２吸着部に折り返すための周状に配置された後端隔壁とを有し，
かつ，上記前端隔壁には上記排ガスの上記触媒部への導入を制御するための切替手段が配設されていると共に，該切替手段の下流側における，第２吸着部と触媒部を分割する前端隔壁には開口部が設けてあることを特徴とする自動車用排ガス浄化装置。
【請求項２】
請求項１において，上記切替手段は，上記吸着時には上記排ガスを上記吸着部に導入するよう切替え，非吸着時には上記排ガスを主に触媒部へ導入するよう切替えるアクチュエータを有していることを特徴とする自動車用排ガス浄化装置。
【請求項３】
請求項１又は２のいずれか一項において，上記前端隔壁及び後端隔壁と，上記ハニカム構造体との間には，耐熱弾性体を介在させてあることを特徴とする自動車用排ガス浄化装置。
【請求項４】
請求項１〜３のいずれか一項において，上記前端隔壁及び後端隔壁の端部は，該ハニカム構造体に埋設した埋め込み部材に埋め込まれていることを特徴とする自動車用排ガス浄化装置。
【請求項５】
エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において排ガスの流路を上記ハニカム構造体の外周とハニカム構造体の内部とに分割する，周状に配置された前端隔壁と，
上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されており，
また上記前端隔壁及び後端隔壁と，上記ハニカム構造体との間には，耐熱弾性体を介在させてあることを特徴とする自動車用排ガス浄化装置。
【請求項６】
エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において排ガスの流路を上記ハニカム構造体の外周とハニカム構造体の内部とに分割する，周状に配置された前端隔壁と，
上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されており，
また上記前端隔壁及び後端隔壁の端部は，該ハニカム構造体に埋設した埋め込み部材に埋め込まれていることを特徴とする自動車用排ガス浄化装置。
【発明の詳細な説明】
【０００１】
【技術分野】
本発明は，触媒部と吸着部とを用いて自動車の排ガスを浄化する，自動車用排ガス浄化装置に関する。
【０００２】
【従来技術】
従来より，自動車の排ガス中に含まれるＨＣ（炭化水素），ＣＯ（一酸化炭素），ＮＯx（窒素酸化物）等の有害成分を浄化するために，ハニカム構造体等の担体に，白金，ロジウム，パラジウム等の貴金属を担持した触媒装置が用いられている。
しかし，触媒装置が，上記有害成分を浄化するためには，触媒装置温度が一定以上に達していなければならない。このため，エンジン始動直後の触媒装置温度が低いときには，上記有害成分を浄化できない。しかも，エンジン始動直後は，低温状態で排出されるＨＣ（以下コールドＨＣという）量が多く，このコールドＨＣが浄化されないまま大気に放出される。
【０００３】
この問題を解決すべく，エンジンの排気系に触媒装置と，コールドＨＣを吸着するための吸着材を併用した排ガス浄化装置が提案されている（特開平２−７５３２７号公報）。該排ガス浄化装置においては，排気流路の触媒装置の上流に吸着材を設けて，エンジン冷却時には上記吸着剤にコールドＨＣを吸着させ，エンジン暖気後には上記吸着剤から脱離したコールドＨＣ及びエンジンから排出された加熱状態のＨＣ（ヒートＨＣ）を触媒装置によって浄化する。
【０００４】
ところが，上記の排ガス浄化装置は，エンジン始動時に排ガスの熱エネルギが吸着剤に奪われ，下流側に配備した触媒装置が活性化温度に至るまでの時間が長くなる。また，温度が低いほど吸着性能がよい吸着剤を，上記触媒装置よりも上流に配置することは，吸着性能上不利である。
【０００５】
このような観点から，触媒装置の下流側に吸着剤を配置し，簡単かつ安価な構造で，吸着剤への有害成分の吸着及び脱離浄化を行なうことができる自動車用排ガス浄化装置が提案されている（特開平６−２２９２２３号公報）。
この装置では，暖機運転時には下流側の吸着材によりコールドＨＣを吸着しておき，エンジン暖気後は，上記吸着部へ吸着させたコールドＨＣを離脱させて，コールドＨＣを触媒装置側へ戻して浄化を行なう。
【０００６】
【解決しようとする課題】
しかしながら，上記従来の自動車用排ガス浄化装置は，上記触媒装置と吸着剤が別々に搭載されているため，小型化が困難であった。
【０００７】
本発明は，かかる従来の問題点に鑑みてなされたもので，有害成分の外部放出を確実に防ぎ，かつ小型化が可能な自動車用排ガス浄化装置を提供しようとするものである。
【０００８】
【課題の解決手段】
説明の都合上，まず参考発明について説明する。
まず，参考発明は，エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において排ガスの流路を上記ハニカム構造体の外周とハニカム構造体の内部とに分割する，周状に配置された前端隔壁と，
上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されていることを特徴とする自動車用排ガス浄化装置にある。
【０００９】
上記において最も注目すべきことは，上記吸着触媒モジュールは，外側部分に吸着部を有すると共に該吸着部よりも内側に触媒部を有するハニカム構造体からなり，上記吸着部が排ガス中の有害成分を吸着する吸着時には，上記排ガスが上記吸着部を経て上記触媒部へ流入するよう構成し，かつ上記吸着触媒モジュールの具体的構造を上記のハウジング，前端隔壁，後端隔壁，切替手段等により構成したことである。
なお，上記有害成分としては，例えば炭化水素（ＨＣ），一酸化炭素（ＣＯ），窒素酸化物（ＮＯx）等がある。
【００１０】
上記の自動車用排ガス浄化装置による排ガス浄化作用の一例につき説明する。
エンジン始動直後等上記触媒部が活性状態にないときには，上記吸着部が排ガス中のコールドＨＣ等の有害成分を吸着する。
即ち，この吸着時には，エンジンから排出された上記排ガスは，まず上記吸着部へ導入し，次いで上記触媒部へ流入させる（図１の破線矢印参照）。
これにより，上記触媒部が活性状態になくとも，上記吸着部に有害成分が吸着され外部へ放出されない。
【００１１】
一方，上記エンジンが暖気状態になり，触媒部が活性状態となった時には，上記エンジンから排出された排ガスの大部分を，上記触媒部へ直接導入し，該触媒部においてヒートＨＣ等の有害成分を浄化する（図１の実線矢印参照）。
また，この時はエンジンから排出された上記排ガスの一部を，上記吸着部を経て触媒部へ流入させる。これにより，上記吸着部に吸着されていたコールドＨＣ等の有害成分を排ガス中へ離脱させ，該有害成分を上記触媒部において浄化する。
即ち，この状態では，有害成分を吸着部へ吸着させない，非吸着時となる。
【００１２】
次に，参考発明の効果につき説明する。
上記吸着部と上記触媒部は，一つのハニカム構造体からなる。そのため，上記吸着触媒モジュールの小型化を図ることができ，自動車用排ガス浄化装置の小型化が可能となる。
また，上記吸着時には，上記排ガスが上記吸着部から上記触媒部へ流入するよう構成されている。そのため，エンジン始動時等において，上記触媒部の温度が低く活性状態にない場合にも，有害成分は上記吸着部において吸着され，外部へ放出されることを確実に防ぐことができる。
【００１３】
以上のごとく，参考発明によれば，有害成分の外部放出を確実に防ぎ，かつ小型化が可能な自動車用排ガス浄化装置を提供することができる。
【００１４】
なお，上記吸着触媒モジュールは，上記ハニカム構造体を収納するハウジングと，上記ハニカム構造体の前端面側において排ガスの流路を分割する，周状に配置された前端隔壁と，上記ハニカム構造体の後端面側において，上記吸着部に流入した排ガスを上記触媒部に折り返すための，周状に配置された後端隔壁とを有し，
かつ，上記前端隔壁には上記排ガスの上記触媒部への導入を制御するための切替手段が配設されていることとすることもできる（図１参照）。
【００１５】
これにより，吸着時において，上記排ガスを確実に上記吸着部へ導入し，該吸着部から触媒部へ流入させることができる。また，上記吸着時と，それ以外の非吸着時における，排ガスの流路を容易に切替えることができる。
【００１６】
次に，上記吸着触媒モジュールの具体的構成は，上記のごとく，上記ハニカム構造体を収納するハウジングと，上記ハニカム構造体の前端面側において排ガスの流路を上記ハニカム構造体の外周とハニカム構造体の内部とに分割する，周状に配置された前端隔壁と，上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されている（図８参照）。
【００１７】
この場合には，上記前端隔壁は，上記ハニカム構造体の外壁に接合することができる。そのため，上記ハニカム構造体の前端面に上記前端隔壁の端部を接合する必要がなく，容易かつ確実な接合ができる。
【００１８】
次に，請求項１に記載の発明は，エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において，上記吸着部と上記触媒部との間に周状に配置すると共に，上記吸着部を２つに分割するよう配置した前端隔壁と，
上記ハニカム構造体の後端面側において，上記前端隔壁により分割された吸着部の一方の第１吸着部に流入した排ガスを，他方の第２吸着部に折り返すための周状に配置された後端隔壁とを有し，
かつ，上記前端隔壁には上記排ガスの上記触媒部への導入を制御するための切替手段が配設されていると共に，該切替手段の下流側における，第２吸着部と触媒部を分割する前端隔壁には開口部が設けてあることを特徴とする自動車用排ガス浄化装置である（図９，図１０参照）。
【００１９】
この場合には，上記前端隔壁と後端隔壁を同径とすることができるため，上記前端隔壁と後端隔壁の接合により潰される上記ハニカム構造体のセルを減少させることができる。そのため，排ガスの流路の減少を抑制することができる。
【００２０】
次に，請求項２に記載の発明のように，上記切替手段は，上記吸着時には上記排ガスを上記吸着部に導入するよう切替え，非吸着時には上記排ガスを主に触媒部へ導入するよう切替えるアクチュエータを有していることが好ましい。
これにより，上記排ガス流路の切替を自動的に行なうことが可能となる。
【００２１】
次に，請求項３に記載の発明のように，上記前端隔壁及び後端隔壁と，上記ハニカム構造体との間には，耐熱弾性体を介在させてあることが好ましい。
これにより，上記前端隔壁と上記ハニカム構造体との間，及び上記後端隔壁と上記ハニカム構造体との間を確実にシールすることができる。
また，上記ハニカム構造体と上記前端隔壁及び後端隔壁との熱膨張差を吸収することができる。
そのため，有害成分が外部へ放出されることを確実に防ぐことができる。
【００２２】
次に，請求項４に記載の発明のように，上記前端隔壁及び後端隔壁の端部は，該ハニカム構造体に埋設した埋め込み部材に埋め込まれていることが好ましい。
これにより，上記前端隔壁と上記ハニカム構造体との間，及び上記後端隔壁と上記ハニカム構造体との間を一層確実にシールすることができる。
また，上記埋め込み部材が上記ハニカム構造体に埋設されているため，接合が外れ難いという利点もある。
そのため，有害成分が外部へ放出されることを一層確実に防ぐことができる。
次に，請求項５に記載の発明のように，エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において排ガスの流路を上記ハニカム構造体の外周とハニカム構造体の内部とに分割する，周状に配置された前端隔壁と，
上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されており，
また上記前端隔壁及び後端隔壁と，上記ハニカム構造体との間には，耐熱弾性体を介在させてあることを特徴とする自動車用排ガス浄化装置がある。
次に，請求項６に記載の発明のように，エンジンの排気管の途中に配設された吸着触媒モジュールを有する自動車用排ガス浄化装置であって，
上記吸着触媒モジュールは，外側部分に吸着部を有すると共に該吸着部よりも内側に触媒部を有するハニカム構造体からなると共に上記吸着部が排ガス中の有害成分を吸着する吸着時には，上記排ガスが上記吸着部を経て上記触媒部へ流入するよう構成してあり，
また，上記吸着触媒モジュールは，上記ハニカム構造体を収納するハウジングと，
上記ハニカム構造体の前端面側において排ガスの流路を上記ハニカム構造体の外周とハニカム構造体の内部とに分割する，周状に配置された前端隔壁と，
上記ハニカム構造体の後端面側において，上記ハウジングと上記前端隔壁との間の外周流路に流入した排ガスを該外周流路の内側の上記ハニカム構造体に折り返すための，周状に配置された後端隔壁とを有し，
かつ，上記前端隔壁には上記排ガスの上記触媒部への導入を制御するための切替手段が配設されており，
また上記前端隔壁及び後端隔壁の端部は，該ハニカム構造体に埋設した埋め込み部材に埋め込まれていることを特徴とする自動車用排ガス浄化装置がある。
【００２３】
【発明の実施の形態】
実施形態例１
本発明の実施形態例にかかる自動車用排ガス浄化装置につき，図１〜図７を用いて説明する。
本例の自動車用排ガス浄化装置１は，図２に示すごとく，エンジン７の排気管７２の途中に配設されていると共に，吸着触媒モジュール１０を有する。
【００２４】
該吸着触媒モジュール１０は，図１に示すごとく，外側部分に吸着部１１を有すると共に該吸着部１１よりも内側に触媒部１２を有するハニカム構造体１００からなる。
上記自動車用排ガス浄化装置１は，上記吸着部１１が排ガス８中のコールドＨＣ等の有害成分を吸着する吸着時には，図１の破線矢印に示すごとく，上記排ガス８が上記吸着部１１を経て上記触媒部１２へ流入するよう構成してある。
【００２５】
図２に示すごとく，上記自動車用排ガス浄化装置１は，エンジン７の下流の排気管７２の途中に設けられたスタート触媒１４と上記吸着触媒モジュール１０，及び切替制御装置５０とからなる。
上記スタート触媒１４は，エンジン始動時における排ガス８の浄化に用いられる，ハニカム構造体に触媒を担持してなる触媒装置である。また，上記切替制御装置５０は，下記に示す切替手段５の切替を行なうアクチュエータ５３を制御する装置である。
【００２６】
図１に示すごとく，上記吸着触媒モジュール１０は，上記ハニカム構造体１００を収納するハウジング２と，上記ハニカム構造体１００の前端面１０１側において排ガス８の流路を分割する，周状に配置された前端隔壁３とを有する。また，上記ハニカム構造体１００の後端面１０２側において，上記吸着部１１に流入した排ガス８を上記触媒部１２に折り返すための，周状に配置された後端隔壁４とを有する。
また，上記前端隔壁３には，上記排ガス８の上記触媒部１２への導入を制御するための切替手段５が配設されている。
【００２７】
上記切替手段５は，上記吸着時には上記排ガス８を上記吸着部１１に導入するよう切替える。例えば，暖機運転後など排ガス８の温度が高くなった非吸着時には上記排ガスを主に触媒部１２へ排ガス８を導入するよう切替えるアクチュエータ５１を有している（図２）。
また，上記切替手段５は，図３に示すごとく，上記前端隔壁３に回動可能に取付けられた回動軸５８と，該回動軸５８に固定され，上記前端隔壁３の内周形状と略同形状の開閉弁５９とからなる。
図３において，実線で示した開閉弁５９は閉止時の状態を表し，二点鎖線で示した開閉弁５９は開放時の状態を表す。
【００２８】
また，上記前端隔壁３及び後端隔壁４と，上記ハニカム構造体１００との間には，図４（Ａ），（Ｂ）に示すごとく，耐熱弾性体６を介在させてある
該耐熱弾性体６は，上記前端隔壁３の端部３２及び後端隔壁４の端部４２の全周に周状に配設されている。そして，上記ハニカム構造体１００の前端面１０１及び後端面１０２に当接している。
また，上記耐熱弾性体６は，無機繊維材（図４（Ａ））又は耐熱メタルガスケット（図４（Ｂ））からなる。
【００２９】
また，上記ハニカム構造体１００は，上記耐熱弾性体６を前端面１０１又は後端面１０２に接合するため，図６（Ａ），（Ｂ）に示すごとく，接合部に対応してハニカムの目詰めをした目詰め部１０９を設けてある。
目詰めに当っては，例えば上記ハニカム構造体１００と同材質のコージェライトを用いて，ハニカムの所定のセルに埋めた後焼成する。また，上記目詰めは，予め，ハニカム構造体１００を成形する段階で，所定箇所にのみセルを設けないような形状（図６（Ｂ））に成形することにより行なうこともできる。
【００３０】
図１に示すごとく，上記前端隔壁３には，上記切替手段５よりも上流側に開口部３１を有する。
また，上記ハニカム構造体１００の外周と上記ハウジング２との間には，支持部材２１が介在している。そして，図５に示すごとく，上記ハウジング２は，上記ハニカム構造体１００の後端面１０２付近に凹状のかしめ部２２を設けることにより，上記ハニカム構造体１００を固定している。
【００３１】
次に，上記切替制御装置５０による上記切替手段５の切替につき，図７を用いて説明する。
まず，ステップＳ１として，エンジン始動時にコントローラ５２（図２）のタイマーがリセットされる。次に，ステップＳ２において，エンジン７の水温Ｔwと設定温度Ｔw0とを比較する。Ｔw＞Ｔw0の場合には，触媒部１２の触媒が活性状態にあると判断し，切替手段５を開放して，大部分の排ガス８を上記触媒部１２に導入する（図１の実線矢印）。
【００３２】
一方，Ｔw≦Ｔw0の場合には，触媒部１２の触媒が未活性状態にあると判断し，切替手段５を閉止して，排ガス８の全量を開口部３１を通じて上記吸着部１１に導入する。
これにより，排ガス８は上記吸着部１１を通過し，ハニカム構造体１００の後端面１０２側で上記触媒部１２に折り返す。更に上記排ガス８は，上記ハニカム構造体１００の前端面１０１で内側の触媒部１２に折り返し，該触媒部１２を通過する（図１の破線矢印）。
【００３３】
この時，上記コントローラ５２のタイマーはエンジン始動（Ｓ１）からの時間をカウントしており，その時間ｔと所定時間ｔ0とを比較する（ステップＳ４）。
次に，ｔ≧ｔ0となったとき，上記スタート触媒１４の温度が上昇して触媒が活性状態となったと判断して，上記切替手段５を開放する（ステップＳ５）。
これにより，排ガス８を上記触媒部１２に直接導入して通過させる（図１の実線矢印）。また，この時，排ガス８の一部は上記吸着部１１に導入される。更にこの状態で数秒〜数十秒運転することにより，上記触媒部１２が活性化する。
【００３４】
なお，切替手段５の切替は，以下のように行なう。
即ち，上記アクチュエータ５３は，配管５５によって，電磁弁５４を介して上記エンジン７の吸気部７１と接続されている。上記吸気部７１は，エンジン作動時には常に負圧となっている。上記コントローラ５２の信号により，上記電磁弁５４が開閉することにより，その負圧が上記アクチュエータ５３に作用し上記切替手段５を開閉する。
【００３５】
次に，本例の自動車用排ガス浄化装置１による排ガス浄化作用につき説明する。
上記スタート触媒１４はエンジン７の直後に配置してあるため，エンジン始動から比較的短時間で活性状態となる。しかし，エンジン始動直後等，エンジン７自体の温度が低いときには，上記スタート触媒１４が未活性状態にある。
【００３６】
そこで，上述のごとく，エンジン７の水温を確認して，これが設定値よりも低いときには，上記スタート触媒１４も未活性であると判断する。そして，エンジン７から排出され上記スタート触媒１４を通過した上記排ガス８を上記吸着部１１へ導入し，次いで上記触媒部１２へ流入させる（図１の破線矢印）。
これにより，上記触媒部１２及びスタート触媒１４が活性状態になくとも，上記吸着部１１に，コールドＨＣ，ＣＯ，ＮＯx等の有害成分が吸着され外部へ放出されない。
【００３７】
一方，上記エンジン７が暖気状態になり，スタート触媒１４が活性状態となった時には，上記エンジン７から排出され，スタート触媒１４を通過した排ガス８の大部分を，上記触媒部１２へ直接導入する。この状態で数秒〜数十秒運転すると，上記触媒部１２が活性化し，該触媒部１２においてヒートＨＣ等の上記有害成分が浄化される（図１の実線矢印）。
【００３８】
また，この時はエンジン７から排出された上記排ガス８の一部を，上記吸着部１１を経て，触媒部１２へ流入させる。これにより，上記吸着部１１に吸着されていたコールドＨＣ等の有害成分を排ガス８中へ離脱させ，該有害成分を上記触媒部１２において浄化する。
即ち，この状態では，有害成分を上記吸着部１１へ吸着させない，非吸着時となる。
【００３９】
次に，本例の効果につき説明する。
上記吸着部１１と上記触媒部１２は，一つのハニカム構造体１００からなる。そのため，上記吸着触媒モジュール１０が小型化され，自動車用排ガス浄化装置１の小型化が可能となる。
【００４０】
また，上記吸着時には，上記排ガス８が上記吸着部１１から上記触媒部１２へ流入するよう構成されている（図１の破線矢印）。そのため，エンジン始動時等上記触媒部１２の温度が低く活性状態にない場合にも，有害成分は上記吸着部１１において吸着され，外部へ放出されることを確実に防ぐことができる。
【００４１】
また，上記切替手段５は，上記吸着時には上記排ガス８を上記吸着部１１に導入するよう切替え，非吸着時には上記排ガスを主に触媒部１２へ導入するよう切替えるアクチュエータ５３を有している。
これにより，上記排ガス８の流路の切替をコントローラ５２の信号によって，自動的に行なうことが可能となる。そのため，容易に適切かつ効率的に排ガス８の流路を切替えることができる。
【００４２】
また，上記前端隔壁３及び後端隔壁４と，上記ハニカム構造体１００との間には，耐熱弾性体６を介在させてある。そのため，上記前端隔壁３と上記ハニカム構造体１００との間，及び上記後端隔壁４と上記ハニカム構造体１００との間を確実にシールすることができる。
また，上記ハニカム構造体１００と上記前端隔壁３及び後端隔壁４との熱膨張差を吸収することができる。
そのため，有害成分が外部へ放出されることを確実に防ぐことができる。
【００４３】
以上のごとく，本例によれば，有害成分の外部放出を確実に防ぎ，かつ小型化が可能な自動車用排ガス浄化装置を提供することができる。
【００４４】
実施形態例２
本例は，図８に示すごとく，前端隔壁３を，ハニカム構造体１００の前端面１０１側において排ガス８の流路を上記ハニカム構造体１００の外周と内部とに分割するよう，周状に配置した例である。
本例の吸着触媒モジュール１０は，上記ハニカム構造体１００の後端面１０２側において，ハウジング２と上記前端隔壁３との間の外周流路２３に流入した排ガス８を上記吸着部１１に折り返すための，周状に配置された後端隔壁４とを有する。
その他は，実施形態例１と同様である。
【００４５】
本例の自動車用排ガス浄化装置１の吸着触媒モジュール１０においては，排ガス８の流れは以下のようである。
即ち，吸着時においては，排ガス８は開口部３１を通過して上記外周流路２３を通り，ハニカム構造体１００の後端面１０２において上記吸着部１１に折り返される。上記吸着部１１を通過した上記排ガス８は，上記ハニカム構造体１００の前端面１０１側において，更に折り返され上記触媒部１２を通過する（図８の破線矢印）。
一方，非吸着時は，実施形態例１と同様である（図８の実線矢印）。
【００４６】
この場合には，上記前端隔壁３は，上記ハニカム構造体１００の外壁１０５に，支持部材２１を介して接合することができる。そのため，実施形態例１のように上記ハニカム構造体１００の前端面１０１に上記前端隔壁３の端部を接合する必要がなく，容易かつ確実な接合ができる。
その他，実施形態例１と同様の作用効果を有する。
【００４７】
実施形態例３
本例は，図９〜図１１に示すごとく，前端隔壁３によって，排ガス８の流れを上記吸着部１１と上記触媒部１２とに分割すると共に，上記吸着部１１を２つに分割するよう配置した吸着触媒モジュール１０を有する自動車用排ガス浄化装置１の例である。
【００４８】
即ち，上記吸着触媒モジュール１０は，図９，図１０に示すごとく，上記ハニカム構造体１００を収納するハウジング２と，上記ハニカム構造体１００の前端面１０１側において，上記吸着部１１と上記触媒部１２との間に周状に配置すると共に，上記吸着部１１を２つに分割するよう配置した前端隔壁３とを有する。即ち，上記前端隔壁３は，図１０に示すごとく，筒状隔壁３０と，該筒状隔壁３０の外側側面に直角に配置された２枚の板状隔壁３８，３９とよりなる。そして，上記筒状隔壁３０が上記ハニカム構造体１００の前端面１０１側において，排ガス８の流れを上記吸着部１１と上記触媒部１２とに分割する。また，上記板状隔壁３８，３９が上記吸着部１１へ流入する排ガス８と，上記吸着部１１を通過した排ガス８とを隔離する。
【００４９】
また，上記吸着触媒モジュール１０は，上記ハニカム構造体１００の後端面１０２側において，上記前端隔壁３により分割された吸着部１１の一方の第１吸着部１１１（図９，図１０の下方側）に流入した排ガス８を，他方の第２吸着部１１２（図９，図１０の上方側）に折り返すための周状に配置された後端隔壁４とを有する。
【００５０】
そして，上記前端隔壁３には，上記排ガス８の上記触媒部１２への導入を制御するための切替手段５が配設されている。また，該切替手段５の下流側における，第２吸着部１１２と触媒部１２を分割する前端隔壁３には開口部３１２が設けてある。
また，上記切替手段５の上流側における，第１吸着部１１１と触媒部１２を分割する前端隔壁３には開口部３１１が設けてある。
【００５１】
また，上記ハニカム構造体１００において，上記前端隔壁３を当接させる部分は，図１１（Ａ），（Ｂ）に示すごとく，実施形態例１と同様に目詰め部１０９，３８１，３９１が設けてある。
即ち，上記ハニカム構造体１００は，環状の目詰め部１０９によって，筒状に吸着部１１と触媒部１２に分けられている。更に，外周部の環状の吸着部１１は，板状の目詰め部３８１，３９１によって，下方の第１吸着部１１１と上方の第２吸着部１１２とに区分されている。
上記目詰め部１０９，３８１，３９１は，ハニカム通路を目詰めすることにより形成してある。
また，ハニカム前端面１０１において，上記目詰め部１０９には上記前端隔壁３の筒状隔壁３０が当接しており，上記目詰め部３８１，３９１には，それぞれ上記板状隔壁３８，３９が当接している。
その他は，実施形態例１と同様である。
【００５２】
本例の自動車用排ガス浄化装置１の吸着触媒モジュール１０においては，排ガス８の流れは以下のようである。
即ち，吸着時においては，排ガス８は開口部３１１を通過して下方側の上記第１吸着部１１１を通過する。次いで，ハニカム構造体１００の後端面１０２側において，上方側の上記第２吸着部１１２に折り返される。
次いで，上記第２吸着部１１２を通過した上記排ガス８は，上記ハニカム構造体１００の前端面１０１側において，更に折り返され上記触媒部１２を通過する（図９，図１０の破線矢印）。
一方，非吸着時は，実施形態例１と同様である（図９の実線矢印）。
【００５３】
本例の場合には，図９，図１０に示すごとく，上記前端隔壁３と後端隔壁４を同径とすることができるため，上記前端隔壁３と後端隔壁４の接合により潰される上記ハニカム構造体１００のセルを減少させることができる。そのため，排ガス８の流路の減少を抑制することができる。
その他，実施形態例１と同様の作用効果を有する。
【００５４】
実施形態例４
本例は，図１２に示すごとく，ハニカム構造体１００の後端面１０２の外周を切欠き，その切欠部１０３において，外周から後端隔壁４を接合した例である。即ち，円筒状のハニカム構造体１００の後端面１０２の外周を所定幅及び所定深さに切欠き加工して切欠部１０３を設けた。そして，該切欠部１０３の外周に支持部材２１を介して接合してある。
その他は，実施形態例２と同様である。
【００５５】
本例の自動車用排ガス浄化装置１の吸着触媒モジュール１０においては，排ガス８の流れは以下のようである。
即ち，吸着時においては，排ガス８は開口部３１を通過して上記外周流路２３を通り，上記切欠部１０３において上記吸着部１１に折り返される。上記吸着部１１を通過した上記排ガス８は，上記ハニカム構造体１００の前端面１０１側において，更に折り返され上記触媒部１２を通過する（図１２の破線矢印）。
一方，非吸着時は，実施形態例２と同様である（図１２の実線矢印）。
【００５６】
この場合には，上記前端隔壁３は，上記ハニカム構造体１００の外壁１０５に，支持部材２１を介して接合することができる上に，上記後端隔壁４も上記切欠部１０３の外周に支持部材２１を介して接合することができる。そのため，ハニカム構造体１００の前端面１０１及び後端面１０２の何れにも，上記前端隔壁３の端部３２或いは上記後端隔壁４の端部４２を接合する必要がない。
それ故，上記前端隔壁３及び上記後端隔壁４を上記ハニカム構造体１００に容易かつ確実に接合することができる。
その他，実施形態例２と同様の作用効果を有する。
【００５７】
実施形態例５
本例は，図１３に示すごとく，ハニカム構造体１００の後端面１０２に，該ハニカム構造体１００よりも小径のハニカム体１０６を直列に接合した例である。
上記ハニカム体１０６は，触媒部１２の後方の一部分を構成する。
その他は，実施形態例４と同様である。
【００５８】
本例の場合には，実施形態例４のように切欠き加工を行なうことなく，切欠部と同様の機能を有する段部１０４を形成することができる。そのため，上記吸着触媒モジュール１０を一層容易に製造することができる。
その他，実施形態例４と同様の作用効果を有する。
【００５９】
実施形態例６
本例は，図１４に示すごとく，ハニカム構造体１００の外壁１０５における後端面１０２寄りに，溝部１０７を周状に設けた例である。
本例の自動車用排ガス浄化装置１における吸着触媒モジュール１０においては，前端隔壁３が上記ハニカム構造体１００の後端面１０２付近まで伸びて，外壁１０５に支持部材２１を介して接合してある。また，上記前端隔壁３における上記溝部１０７の位置には，通気口３２が設けてある。
また，上記後端面１０２には，上記外壁１０５から上記溝部１０７の深さと同等の幅で目詰め部１０９が形成されている。
なお，上記溝部１０７の深さは吸着部１１の幅でもある。
【００６０】
本例の自動車用排ガス浄化装置１の吸着触媒モジュール１０においては，排ガス８の流れは以下のようである。
即ち，吸着時においては，排ガス８は開口部３１を通過して外周流路２３を通り，上記溝部１０７において上記吸着部１１に折り返される。上記吸着部１１を通過した上記排ガス８は，上記ハニカム構造体１００の前端面１０１側において，更に折り返され上記触媒部１２を通過する（図１４の破線矢印）。
一方，非吸着時は，実施形態例４と同様である（図１４の実線矢印）。
その他は，実施形態例４と同様である。
【００６１】
本例の場合には，後端隔壁を設けることなく，上記前端隔壁３のみで排ガス８の流路を分割している。そのため，吸着触媒モジュール１０の構造を簡単にすることができる。また，上記ハニカム構造体１００を，一体化した上記前端隔壁３によって保持しているため，強度の高い吸着触媒モジュール１０を得ることができる。
その他，実施形態例４と同様の作用効果を有する。
【００６２】
実施形態例７
本例においては，図１５に示すごとく，前端隔壁或いは後端隔壁と，ハニカム構造体との間の接合方法として種々の例を示す。
なお，以下においては，ハニカム構造体１００の前端面１０１と前端隔壁３との接合を例にとって説明する。
【００６３】
図１５（Ａ）は，上記前端面１０１に凹部１６を設け，該凹部１６に耐熱弾性部材６を上記前端隔壁３の端部３２と共に埋め込んだものである。上記耐熱弾性部材６としては，コージェライト又は無機繊維材等がある。
この場合には，上記前端隔壁３とハニカム構造体１００との接合が一層強化される。
【００６４】
図１５（Ｂ）は，上記前端面１０１における上記前端隔壁３を接合する部分に強化材１７を付着させたものである。
この場合には，ハニカム構造体１００の前端面１０１が強化され，ハニカム構造体１００が欠ける等の不具合を防ぐことができる。
【００６５】
図１５（Ｃ）は，前端隔壁３の端部３２とハニカム構造体１００の前端面１０１との間にクリアランスＣを設けた例である。該クリアランスＣは，ハウジング２が熱膨張した場合にも，排ガス８の洩れ量を充分に抑制できる程度のものである。
この場合には，耐熱弾性体を用いる必要がないため，コストの低下を図ることができる。
【００６６】
図１５（Ｄ）は，上記前端面１０１に凹部１６を設け，該凹部１６に耐熱弾性部材６を埋め込み，その上からワイヤーメッシュ１０８を介して前端隔壁３の端部３２を接合した例である。
この場合には，上記耐熱弾性体６が飛散することを防止することができる。
【図面の簡単な説明】
【図１】実施形態例１における，自動車用排ガス浄化装置の吸着触媒モジュールの断面説明図。
【図２】実施形態例１における，自動車用排ガス浄化装置の説明図。
【図３】実施形態例１における，切替手段の説明図。
【図４】実施形態例１における，前端隔壁とハニカム構造体との接合部分の断面拡大図。
【図５】実施形態例１における，ハウジングのかしめ部付近の断面拡大図。
【図６】（Ａ）図１のＡ−Ａ線矢視断面説明図，（Ｂ）（Ａ）の目詰め部の部分拡大図。
【図７】実施形態例１における，切替制御装置による切替手段の制御方法を示すフローチャート。
【図８】実施形態例２における，自動車用排ガス浄化装置の吸着触媒モジュールの断面説明図。
【図９】実施形態例３における，自動車用排ガス浄化装置の吸着触媒モジュールの断面説明図。
【図１０】実施形態例３における，自動車用排ガス浄化装置の吸着触媒モジュールの斜視図。
【図１１】（Ａ）図１０のＢ−Ｂ線矢視断面説明図，（Ｂ）（Ａ）の目詰め部の部分拡大図。
【図１２】実施形態例４における，自動車用排ガス浄化装置の吸着触媒モジュールの断面説明図。
【図１３】実施形態例５における，自動車用排ガス浄化装置の吸着触媒モジュールの断面説明図。
【図１４】実施形態例６における，自動車用排ガス浄化装置の吸着触媒モジュールの断面説明図。
【図１５】実施形態例７における，前端隔壁とハニカム構造体との間の種々の接合方法を示す断面説明図。
【符号の説明】
１．．．自動車用排ガス浄化装置，
１０．．．吸着触媒モジュール，
１１．．．吸着部，
１２．．．触媒部，
１００．．．ハニカム構造体，
１０１．．．前端面，
１０２．．．後端面，
２．．．ハウジング，
２１．．．支持部材，
３．．．前端隔壁，
３１．．．開口部，
４．．．後端隔壁，
５．．．切替手段，
６．．．耐熱弾性体，
７．．．エンジン，
８．．．排ガス，
【図１】
0003715134.tif 000002
【図２】
0003715134.tif 000003
【図３】
0003715134.tif 000004
【図４】
0003715134.tif 000005
【図５】
0003715134.tif 000006
【図６】
0003715134.tif 000007
【図７】
0003715134.tif 000008
【図８】
0003715134.tif 000009
【図９】
0003715134.tif 000010
【図１０】
0003715134.tif 000011
【図１１】
0003715134.tif 000012
【図１２】
0003715134.tif 000013
【図１３】
0003715134.tif 000014
【図１４】
0003715134.tif 000015
【図１５】
0003715134.tif 000016